(57)【要約】  本開示の特定の態様は、アクセス・ポイントと、単一アンテナ局のような複数の無線装置との間のＳＤＭＡ通信のためのプロトコルを提供する。
2012522422.tif 000002
【特許請求の範囲】
【請求項１】
複数の無線装置にデータ・パケットを送信することと、
前記データ・パケットに応じて、前記複数の無線装置のうちの少なくとも１つから信号を受信することと、
前記信号が正しく復号されたかどうかにかかわらず、前記信号を１又は複数の前記データ・パケットの受取のアクノレッジメントとして識別することと
を備える無線通信のための方法。
【請求項２】
前記データ・パケットのうちの少なくとも２つは、異なる開始時間で送信され、
前記異なる開始時間は、前記データ・パケットの各々の伝送が実質的に同じ時間に終了するように計算される請求項１に記載の方法。
【請求項３】
前記伝送は、異なる無線装置に対する伝送のために少なくとも２つの異なるデータ・レートを選択すること
を備える請求項１に記載の方法。
【請求項４】
前記異なるデータ・レートは、前記異なる無線装置に対するデータ・パケットの送信時間を均等化するように選択される請求項３に記載の方法。
【請求項５】
前記複数の無線装置は、単一アンテナを有する少なくとも１つの無線装置を備える請求項１に記載の方法。
【請求項６】
複数のアンテナを有し、空間分割多元接続（ＳＤＭＡ）通信が可能な少なくとも１つの無線装置を、前記複数の無線装置は備える請求項１に記載の方法。
【請求項７】
前記信号は、前記ＳＤＭＡ通信が可能な少なくとも１つの無線装置から送信されたアクノレッジメント信号を備える請求項６に記載の方法。
【請求項８】
無線通信システムにおいて複数の無線装置にデータを同時送信するための装置であって、
複数の無線装置にデータ・パケットを送信するように構成された送信機と、
前記データ・パケットに応じて、前記複数の無線装置のうちの少なくとも１つから信号を受信し、前記信号が正しく復号されたかどうかにかかわらず、前記信号を１又は複数の前記データ・パケットの受取のアクノレッジメントとして識別するように構成された受信機と、
を備える装置。
【請求項９】
前記送信機は、前記データ・パケットのうちの少なくとも２つを異なる開始時間に送信するように構成され、
前記異なる開始時間は、前記データ・パケットの各々の伝送が実質的に同じ時間に終了するように計算される請求項８に記載の装置。
【請求項１０】
前記送信機は、異なる無線装置に対する伝送のために少なくとも２つの異なるデータ・レートを選択するように構成された請求項８に記載の装置。
【請求項１１】
前記異なるデータ・レートは、前記異なる無線装置に対するデータ・パケットの送信時間を均等化するように選択される請求項１０に記載の装置。
【請求項１２】
前記複数の無線装置は、単一アンテナを有する少なくとも１つの無線装置を備える請求項８に記載の装置。
【請求項１３】
複数のアンテナを有し、空間分割多元接続（ＳＤＭＡ）通信が可能な少なくとも１つの無線装置を、前記複数の無線装置は備える請求項８に記載の装置。
【請求項１４】
前記信号は、前記ＳＤＭＡ通信が可能な少なくとも１つの無線装置から送信されたアクノレッジメント信号を備える請求項１３に記載の装置。
【請求項１５】
無線通信システムにおいて複数の無線装置にデータを同時送信するための装置であって、
複数の無線装置にデータ・パケットを送信する手段と、
前記データ・パケットに応じて、前記複数の無線装置のうちの少なくとも１つから信号を受信するように構成された受信する手段と、
前記信号が正しく復号されたかどうかにかかわらず、前記信号を１又は複数の前記データ・パケットの受取のアクノレッジメントとして識別する手段と
を備える装置。
【請求項１６】
前記送信する手段は、前記データ・パケットのうちの少なくとも２つを異なる開始時間に送信するように構成され、
前記異なる開始時間は、前記データ・パケットの各々の伝送が実質的に同じ時間に終了するように計算される請求項１５に記載の装置。
【請求項１７】
前記送信する手段は、異なる無線装置に対する伝送のために少なくとも２つの異なるデータ・レートを選択するように構成されている
請求項１５に記載の装置。
【請求項１８】
前記異なるデータ・レートは、前記異なる無線装置に対するデータ・パケットの送信時間を均等化するように選択される請求項１７に記載の装置。
【請求項１９】
前記複数の無線装置は、単一アンテナを有する少なくとも１つの無線装置を備える請求項１７に記載の装置。
【請求項２０】
複数のアンテナを有し、ＳＤＭＡ伝送が可能な少なくとも１つの無線装置を、前記複数の無線装置は備える請求項１７に記載の装置。
【請求項２１】
前記信号は、前記ＳＤＭＡ通信が可能な少なくとも１つの無線装置から送信されたアクノレッジメント信号を備える請求項２０に記載の装置。
【請求項２２】
命令群で符号化されたコンピュータ読取可能媒体を備える、通信のためのコンピュータ・プログラム製品であって、前記命令群は、
複数の無線装置にデータ・パケットを送信し、
前記データ・パケットに応じて、前記複数の無線装置のうちの少なくとも１つから信号を受信し、
前記信号が正しく復号されたかどうかにかかわらず、前記信号を１又は複数の前記データ・パケットの受取のアクノレッジメントとして識別するように実行可能であるコンピュータ・プログラム製品。
【請求項２３】
複数のアンテナと、
複数の無線装置にデータ・パケットを送信するように構成された送信機と、
前記データ・パケットに応じて、前記複数のアンテナのうちの少なくとも２つによって、前記複数の無線装置のうちの少なくとも１つから信号を受信し、前記信号が正しく復号されたかどうかにかかわらず、前記信号を１又は複数の前記データ・パケットの受取のアクノレッジメントとして識別するように構成された受信機と
を備えるアクセス・ポイント。
【発明の詳細な説明】
【優先権の主張】
【０００１】
本特許出願は、２００９年３月２３日に提出された米国特許仮出願６１／１６２５７６号に対する利益を主張する。上記出願は、譲受人に譲渡され、参照によって本明細書に明確に組み込まれる。
【技術分野】
【０００２】
本願は一般に通信に関し、特に、空間分割多元接続（ＳＤＭＡ）システムに関する。
【背景技術】
【０００３】
無線通信システムのために必要とされる帯域幅要件の増加問題に対処することを目的として、同じチャネル（同じ時間および周波数リソース）を共有することによって、複数のユーザ端末が、高データ・スループットを達成しながら単一の基地局と通信できるようにするための異なるスキームが開発されている。空間分割多元接続（ＳＤＭＡ）は、次世代の通信システムのためのポピュラーな技術として最近出現してきているこのようなアプローチを１つ示す。
【０００４】
ＳＤＭＡシステムにおいて、基地局は、同時に同じ周波数を使用して、複数のモバイル・ユーザ端末へ／から異なる信号を送信／受信できる。信頼性のあるデータ通信を達成するために、ユーザ端末は、十分に異なる方向に位置している必要がありうる。複数の独立信号が、基地局における複数の空間的に分離されたアンテナの各々から同時に送信されうる。従って、複合伝送は指向性を有している、すなわち、各ユーザ端末宛の信号は特定のユーザ端末の方向においては比較的強く、その他のユーザ端末の方向においては十分に弱い。同様に、基地局は、空間的に分離された複数のアンテナの各々を通して、同じ周波数で同時に複数のユーザ端末から複合信号を受信し、複数のアンテナから受信された複合信号は、適切な信号処理技術を適用することによって各ユーザ端末から送信された独立信号に分けられうる。
【０００５】
多重入力多重出力（ＭＩＭＯ）無線システムは、データ伝送のために多数（ＮＴ個）の送信アンテナと、多数（ＮＲ個）の受信アンテナとを用いる。ＮＴ個の送信アンテナとＮＲ個の受信アンテナとによって形成されたＭＩＭＯチャネルは、ＮＳ個の空間ストリームに分解されうる。ここで、全ての実用目的に対して、ＮＳ ｍｉｎ｛ＮＴ、ＮＲ｝である。ＮＳ個の独立データ・ストリームを送信するためにＮＳ個の空間ストリームが使用され、より高い全体スループットが達成されうる。
【０００６】
ＳＤＭＡに基づく多元接続ＭＩＭＯシステムにおいて、アクセス・ポイントは、任意の与えられた瞬間において１又は複数のユーザ端末と通信できる。アクセス・ポイントが単一のユーザ端末と通信している場合、ＮＴ個の送信アンテナは１つの送信するエンティティ（アクセス・ポイントあるいはユーザ端末の何れか）に関連付けられ、ＮＲ個の受信アンテナは、受信するエンティティ（ユーザ端末あるいはアクセス・ポイントの何れか）に関連付けられる。アクセス・ポイントは更に、ＳＤＭＡによって同時に複数のユーザ端末と通信しうる。ＳＤＭＡでは、アクセス・ポイントは、データ送信および受信のために、複数のアンテナを利用し、ユーザ端末の各々は通常、データ送信および受信のために利用されるよりは少ない数のアクセス・ポイント・アンテナを利用する。ＳＤＭＡがアクセス・ポイントから送信される場合、ＮＳ＝ｍｉｎ｛ＮＴ、ｓｕｍ（ＮＲ）｝。ここで、ｓｕｍ（ＮＲ）は、全てのユーザ端末の受信アンテナの合計を表す。ＳＤＭＡがアクセス・ポイントに送信される場合は、ＮＳ＝ｍｉｎ｛ｓｕｍ（ＮＴ）、ＮＲ｝。ここで、ｓｕｍ（ＮＴ）は、全てのユーザ端末の送信アンテナの合計を表す。
【発明の概要】
【０００７】
特定の態様は、無線通信のための方法を提供する。この方法は一般に、空間分割多元接続（ＳＤＭＡ）を使用して複数の無線装置にデータ・パケットを送信することと、これらのデータ・パケットに応じて、少なくとも１つの局から信号を受信することと、信号を、正しく復号されたかどうかにかかわらず、１又は複数のデータ・パケットの受取のアクノレッジメントとして識別することとを含む。
【０００８】
特定の態様は、無線通信システムにおいて複数の無線装置にデータを同時送信するための装置を提供する。この装置は一般に、空間分割多元接続（ＳＤＭＡ）を使用して複数の無線装置にデータ・パケットを送信する送信機と、これらのデータ・パケットに応じて、少なくとも１つの局から信号を受信し、信号を、正しく復号されたかどうかにかかわらず、１又は複数のデータ・パケットの受取のアクノレッジメントとして識別する受信機とを含む。
【０００９】
特定の態様は、無線通信システムにおいて複数の無線装置にデータを同時送信するための装置を提供する。この装置は一般に、空間分割多元接続（ＳＤＭＡ）を使用して複数の無線装置にデータ・パケットを送信する手段と、これらのデータ・パケットに応じて、少なくとも１つの局から信号を受信する手段と、信号を、正しく復号されたかどうかにかかわらず、１又は複数のデータ・パケットの受取のアクノレッジメントとして識別する手段とを含む。
【００１０】
特定の態様は、命令群で符号化されたコンピュータ読取可能媒体を備える、通信するためのコンピュータ・プログラム製品を提供する。この命令群は、空間分割多元接続（ＳＤＭＡ）を使用して複数の無線装置にデータ・パケットを送信し、これらのデータ・パケットに応じて、少なくとも１つの局から信号を受信し、信号を、正しく復号されたかどうかにかかわらず、１又は複数のデータ・パケットの受取のアクノレッジメントとして識別するように実行可能である。
【００１１】
特定の態様は、無線通信システムにおいて複数の無線局にデータを同時送信するアクセス・ポイントを提供する。このアクセス・ポイントは一般に、複数のアンテナと、複数の無線装置にデータ・パケットを送信する送信機とを含み、ここにおいて、データ・パケットは、複数のアンテナのうちの少なくとも２つのアンテナによって、空間分割多元接続（ＳＤＭＡ）を使用して送信される。このアクセス・ポイントは更に、それらのデータ・パケットに応じて、複数のアンテナのうちの少なくとも２つのアンテナによって少なくとも１つの局から信号を受信し、信号を、正しく復号されたかどうかにかかわらず、１又は複数のデータ・パケットの受取のアクノレッジメントとして識別する受信機とを含む。
【００１２】
図面の簡単な説明
以上に記載された本開示の特徴が詳細にわたって理解されうるように、上記で簡潔に要約された本開示のより具体的な説明が態様を参照することによってなされ、態様のうちのいくつかは、添付図面において例示される。しかし、同等に効果的なその他の態様が存在しうることをこの説明が認めているように、添付図面は本開示の特定の典型的な実施形態を例示しているのみであり、従って、本開示の範囲を限定していると見なされるべきではないということが留意されるべきである。
【図面の簡単な説明】
【００１３】
【図１】図１は、本開示の特定の態様に従って、空間分割多元接続ＭＩＭＯ無線システムを例示する。
【図２】図２は、本開示の特定の態様に従って、アクセス・ポイントと２つのユーザ端末とのブロック図を例示する。
【図３】図３は、本開示の特定の態様に従って、無線デバイスの構成要素の実例を示す。
【図４】図４は、本開示の特定の態様に従って、動作の実例を示す。
【図４Ａ】図４Ａは、図４に示された動作を実行できる構成要素の実例を示す。
【図５Ａ】図５Ａは、本開示の特定の態様に従って、アクセス・ポイントによって複数の局に送信された空間ストリームの実例を示す。
【図５Ｂ】図５Ｂは、本開示の特定の態様に従って、アクセス・ポイントによって、複数の局に送信された空間ストリームの実例を示す。
【発明を実施するための形態】
【００１４】
本開示の特定の態様の様々な態様が以下に説明される。本明細書おける教示は多様な形態で実現されうるということ、および、本明細書において開示される任意の特定の構成や機能、あるいはそれらの両方が、典型にすぎないということが明らかであるべきである。本明細書における教示に基づいて、本明細書において開示される態様が、その他任意の態様とは無関係に実施されうるということ、および、これらの態様のうちの２つ以上が様々な形式で組み合わせられうるとうことを、当業者は理解するべきである。例えば、本明細書において説明される態様のうちの任意の数を使用して、装置は実施され、方法は実践されうる。それに加えて、本明細書において説明される１又は複数の態様に加えて、あるいはそれらとは別に、その他の構成、機能、あるいは構成および機能を使用して、このような装置が実施される、あるいは方法が実践されうる。更に、態様は、請求項の少なくとも１つの要素を備えうる。
【００１５】
単語「典型的（exemplary）」は本明細書において、「例、実例、例示として役立つこと」を意味するように使用される。「典型的」として本明細書において説明される任意の実施形態は、必ずしもその他の態様より好ましい、あるいは有利なものとして解釈されるものではない。更に、本明細書において使用されるように、用語「レガシ局（legacy station）」は一般に、ＩＥＥＥ８０２．１１規格の８０２．１１ｎあるいはそれ以前のバージョンをサポートする無線ネットワーク・ノードを称する。
【００１６】
本明細書において説明されるマルチアンテナ伝送技術は、符号分割多元接続（ＣＤＭＡ）、直交周波数分割多重化（ＯＦＤＭ）、時分割多元接続（ＴＤＭＡ）などのような、様々な無線技術と組み合わせて使用されうる。複数のユーザ端末は、異なる（１）ＣＤＭＡのための直交符号チャネルか、（２）ＴＤＭＡのための時間スロットか、あるいは、（３）ＯＦＤＭのためのサブバンドによって、データを同時に送信／受信できる。ＣＤＭＡシステムは、ＩＳ−２０００、ＩＳ−９５、ＩＳ−８５６、ワイドバンド−ＣＤＭＡ（Ｗ−ＣＤＭＡ）あるいはその他いくつかの規格を実現しうる。ＯＦＤＭシステムは、ＩＥＥＥ８０２．１１あるいはその他いくつかの規格を実現しうる。ＴＤＭＡシステムは、ＧＳＭ（登録商標）あるいはその他いくつかの規格を実現しうる。これら様々な規格は当該技術分野において周知である。
【００１７】
ＭＩＭＯシステムの実例
図１は、アクセス・ポイントおよびユーザ端末を伴う多元接続ＭＩＭＯシステム１００を例示する。簡略化のために、１つのアクセス・ポイント１１０のみが図１に図示される。アクセス・ポイント（ＡＰ）は一般に、ユーザ端末と通信する据置式の局であり、基地局あるいはその他任意の用語でも称されうる。ユーザ端末は、据置式あるいは移動式であり、モバイル局、局（ＳＴＡ）、クライアント、無線デバイス、あるいはその他任意の用語でも称されうる。ユーザ端末は、セルラ電話、携帯情報端末（ＰＤＡ）、ハンドヘルド・デバイス、無線モデム、ラップトップ・コンピュータ、パーソナル・コンピュータ等のような、無線デバイスでありうる。
【００１８】
アクセス・ポイント１１０は、下りリンクおよび上りリンクで、任意の与えられた瞬間に１又は複数のユーザ端末１２０と通信できる。下りリンク（すなわち、フォワード・リンク）は、アクセス・ポイントからユーザ端末への通信リンクであり、上りリンク（すなわち、リバース・リンク）は、ユーザ端末からアクセス・ポイントへの通信リンクである。ユーザ端末は更に、別のユーザ端末とピア・ツー・ピア通信できる。システム・コントローラ１３０は、アクセス・ポイントに結合され、アクセス・ポイントを調整および制御する。
【００１９】
以下の開示の一部が、空間分割多元接続（ＳＤＭＡ）によって通信できるユーザ端末１２０を説明している一方で、特定の態様では、ユーザ端末１２０はＳＤＭＡをサポートしないいくつかのユーザ端末も含みうる。従って、このような態様では、ＡＰ１１０は、ＳＤＭＡおよび非ＳＤＭＡユーザ端末の両方と通信するように構成されうる。より新しいＳＤＭＡユーザ端末が適切であると判断され導入される一方で、このアプローチによって、より古いバージョンのユーザ端末（「レガシ」局）は、実用的な耐用年数を延長され、事業に残存して展開されることが可能になる。
【００２０】
システム１００は、下りリンクおよび上りリンクでのデータ伝送のために複数の送信アンテナと複数の受信アンテナとを用いる。アクセス・ポイント１１０は、Ｎａｐ個のアンテナを装備し、下りリンク伝送に対する多重入力（ＭＩ）と、上りリンク伝送に対する多重出力（ＭＯ）とを示す。選択されたＮｕ個のユーザ端末１２０のセットは集合的に、下りリンク伝送に対する多重出力と、上りリンク伝送に対する多重入力とを示す。純粋なＳＤＭＡでは、Ｎｕ個のユーザ端末のためのデータ・シンボル・ストリームが、符号、周波数、あるいは時間において、何らかの手段によって多重化されていない場合、Ｎａｐ≧Ｎｕ≧１であることが望ましい。データ・シンボル・ストリームが、ＣＤＭＡを用いた異なる符号チャネルやＯＦＤＭを用いたサブバンドの互いに素な集合などを使用して多重化されうる場合、Ｎｕは、Ｎａｐよりも大きくなりうる。各選択されたユーザ端末は、アクセス・ポイントに／からユーザ特有データを送信／受信する。一般に、各選択されたユーザ端末は、１又は複数のアンテナを装備しうる（すなわち、Ｎｕｔ≧１）。Ｎｕ個の選択されたユーザ端末は、同じ数のあるいは異なる数のアンテナを有しうる。
【００２１】
ＭＩＭＯシステム１００は、時分割二重（ＴＤＤ）システムあるいは周波数分割二重（ＦＤＤ）システムでありうる。ＴＤＤシステムでは、下りリンクおよび上りリンクは、同じ周波数帯域を共有する。ＦＤＤシステムでは、下りリンクおよび上りリンクは異なる周波数帯域を使用する。ＭＩＭＯシステム１００は、伝送のために単一のあるいは複数の搬送波を利用しうる。各ユーザ端末は、（例えば、コストを低く抑えるために）単一のアンテナを、あるいは、（例えば、追加のコストが支援されうる場合は）複数のアンテナを装備しうる。
【００２２】
図２は、ＭＩＭＯシステム１００におけるアクセス・ポイント１１０と２つのユーザ端末１２０ｍ、１２０ｘとのブロック図を示す。アクセス・ポイント１１０は、Ｎａｐ個のアンテナ２２４ａ乃至２２４ａｐを装備する。ユーザ端末１２０ｍは、Ｎｕｔ，ｍ個のアンテナ２５２ｍａ乃至２５２ｍｕを装備し、ユーザ端末１２０ｘは、Ｎｕｔ，ｘ個のアンテナ２５２ｘａ乃至２５２ｘｕを装備する。アクセス・ポイント１１０は、下りリンクでは送信するエンティティであり、上りリンクでは受信するエンティティである。各ユーザ端末１２０は、上りリンクでは送信するエンティティであり、下りリンクでは受信するエンティティである。本明細書において使用される場合に、「送信するエンティティ」は、無線チャネルによってデータを送信することができる、独立して動作させられる装置あるいはデバイスであり、「受信するエンティティ」は、無線チャネルによってデータを受信することができる、独立して動作させられる装置あるいはデバイスである。以下の説明において、下付きの「ｄｎ」は、下りリンクを意味し、下付きの「ｕｐ」は上りリンクを意味し、Ｎｕｐ個のユーザ端末は上りリンクでの同時伝送のために選択され、Ｎｄｎ個のユーザ端末は下りリンクでの同時伝送のために選択され、ＮｕｐはＮｄｎに等しいことも等しくないこともあり、ＮｕｐおよびＮｄｎは、固定値であるかあるいは各スケジューリング間隔に対して変化しうる。ビーム・ステアリングあるいはその他何らかの空間処理技術が、アクセス・ポイントおよびユーザ端末において使用されうる。
【００２３】
上りリンクでは、上りリンク伝送のために選択された各ユーザ端末１２０において、ＴＸデータ・プロセッサ２８８が、データ・ソース２８６からトラフィック・データを受信し、制御データをコントローラ２８０から受信する。ＴＸデータ・プロセッサ２８８は、ユーザ端末のために選択されたレートに関連付けられた符号化および変調スキームに基づいて、ユーザ端末のためのトラフィック・データ｛ｄｕｐ，ｍ｝を処理（例えば、符号化、インタリーブ、および変調）し、データ・シンボル・ストリーム｛Ｓｕｐ，ｍ｝を提供する。ＴＸ空間プロセッサ２９０は、データ・シンボル・ストリーム｛Ｓｕｐ，ｍ｝に空間処理を実行し、Ｎｕｔ，ｍ個のアンテナのためのＮｕｔ，ｍ個の送信シンボル・ストリームを提供する。各送信機ユニット（ＴＭＴＲ）２５４は、それぞれの送信シンボル・ストリームを受信および処理（例えば、アナログにコンバート、増幅、フィルタ、および周波数アップコンバート）して上りリンク信号を生成する。Ｎｕｔ，ｍ個の送信器ユニット２５４は、Ｎｕｔ，ｍ個のアンテナ２５２からアクセス・ポイント１１０への伝送のために、Ｎｕｔ，ｍ個の上りリンク信号を提供する。
【００２４】
Ｎｕｐ個のユーザ端末が上りリンクでの同時伝送のためにスケジューリングされうる。これらのユーザ端末の各々は、データ・シンボル・ストリームに空間処理を実行して、上りリンクで送信シンボル・ストリームのセットをアクセス・ポイントに送信する。
【００２５】
アクセス・ポイント１１０において、Ｎａｐ個のアンテナ２２４ａ乃至２２４ａｐは、上りリンクで送信している全てのＮｕｐ個のユーザ端末から上りリンク信号を受信する。各アンテナ２２４は、受信された信号をそれぞれの受信機ユニット（ＲＣＶＲ）２２２に提供する。各受信機ユニット２２２は、送信機ユニット２５４によって実行される処理に対して相補的な処理を実行し、受信されたシンボル・ストリームを提供する。ＲＸ空間プロセッサ２４０は、Ｎａｐ個の受信機ユニット２２２から受信されたＮａｐ個のシンボル・ストリームに受信機空間処理を実行し、Ｎｕｐ個の復元された上りリンク・データ・シンボル・ストリームを提供する。受信機空間処理は、チャネル相関行列反転（ＣＣＭＩ）か、最小平均二乗誤差（ＭＭＳＥ）か、逐次干渉除去（ＳＩＣ）か、あるいはその他何らかの技術に従って実行される。各復元された上りリンク・データ・シンボル・ストリーム｛Ｓｕｐ，ｍ｝は、それぞれのユーザ端末によって送信されたデータ・シンボル・ストリームの推定値｛Ｓｕｐ，ｍ｝である。ＲＸデータ・プロセッサ２４２は、各復元された上りリンク・データ・シンボル・ストリーム｛Ｓｕｐ，ｍ｝を、そのストリームのために使用されたレートに従って処理（例えば、復調、デインタリーブ、および復号）して、復号されたデータを取得する。各ユーザ端末のための復号されたデータは、格納のためにデータ・シンク２４４に、および／あるいは、更なる処理のためにコントローラ２３０に提供されうる。
【００２６】
下りリンクでは、アクセス・ポイント１１０において、ＴＸデータ・プロセッサ２１０が、下りリンク伝送のためにスケジューリングされたＮｄｎ個のユーザ端末のためのデータ・ソース２０８からトラフィック・データを受信し、制御データをコントローラ２３０から受信し、おそらくはその他のデータをスケジューラ２３４から受信する。様々な種類のデータが異なるトランスポート・チャネルで送られうる。ＴＸデータ・プロセッサ２１０は、各ユーザ端末のためのトラフィック・データを、そのユーザ端末のために選択されたレートに基づいて処理（例えば、符号化、インタリーブ、変調）する。ＴＸデータ・プロセッサ２１０は、Ｎｄｎ個のユーザ端末のためのＮｄｎ個の下りリンクデータ・シンボル・ストリームを提供する。ＴＸ空間プロセッサ２２０は、Ｎｄｎ個の下りリンク・データ・シンボル・ストリームに空間処理を実行し、Ｎａｐ個のアンテナのためのＮａｐ個の送信シンボル・ストリームを提供する。各送信機ユニット（ＴＭＴＲ）２２２は、それぞれの送信シンボル・ストリームを受信および処理して、下りリンク信号を生成する。Ｎａｐ個の送信機ユニット２２２は、Ｎａｐ個のアンテナ２２４からユーザ端末への伝送のための、Ｎａｐ個の下りリンク信号を提供する。
【００２７】
各ユーザ端末１２０において、Ｎｕｔ，ｍ個のアンテナ２５２は、アクセス・ポイント１１０からＮａｐ個の下りリンク信号を受信する。各受信機ユニット（ＲＣＶＲ）２５４は、関連付けられたアンテナ２５２から受信された信号を処理し、受信されたシンボル・ストリームを提供する。ＲＸ空間プロセッサ２６０は、Ｎｕｔ，ｍ個の受信機ユニット２５４から受信されたＮｕｔ，ｍ個のシンボル・ストリームに受信機空間処理を実行し、ユーザ端末のための復元された下りリンク・データ・シンボル・ストリーム｛Ｓｄｎ，ｍ｝を提供する。受信機空間処理は、ＣＣＭＩ、ＭＭＳＥ、あるいはその他何らかの技術に従って実行される。ＲＸデータ・プロセッサ２７０は、復元された下りリンク・データ・シンボル・ストリームを処理（例えば、復調、デインタリーブ、および復号）して、ユーザ端末のための復号されたデータを取得する。
【００２８】
各ユーザ端末１２０において、Ｎｕｔ，ｍ個のアンテナ２５２は、アクセス・ポイント１１０からＮａｐ個の下りリンク信号を受信する。各受信機ユニット（ＲＣＶＲ）２５４は、関連付けられたアンテナ２５２から受信された信号を処理し、受信されたシンボル・ストリームを提供する。ＲＸ空間プロセッサ２６０は、Ｎｕｔ，ｍ個の受信機ユニット２５４から受信されたＮｕｔ，ｍ個のシンボル・ストリームに受信機空間処理を実行し、ユーザ端末のための復元された下りリンク・データ・シンボル・ストリーム｛Ｓｄｎ，ｍ｝を提供する。受信機空間処理は、ＣＣＭＩ、ＭＭＳＥ、あるいはその他何らかの技術に従って実行される。ＲＸデータ・プロセッサ２７０は、復元された下りリンク・データ・シンボル・ストリームを処理（例えば、復調、デインタリーブ、および復号）して、ユーザ端末のための復号されたデータを取得する。
【００２９】
図３は、システム１００の中で用いられうる無線デバイス３０２において利用されうる様々な構成要素を例示する。無線デバイス３０２は、本明細書において説明される様々な方法を実施するように構成されうるデバイスの実例である。無線デバイス３０２は、アクセス・ポイント１１０あるいはユーザ端末１２０でありうる。
【００３０】
無線デバイス３０２は、無線デバイス３０２の動作を制御するプロセッサ３０４を含みうる。プロセッサ３０４は、中央処理ユニット（ＣＰＵ）とも称されうる。読取専用メモリ（ＲＯＭ）とランダム・アクセス・メモリ（ＲＡＭ）との両方を含みうるメモリ３０６は、命令群およびデータをプロセッサ３０４に提供する。メモリ３０６の一部は、非揮発性ランダム・アクセス・メモリ（ＮＶＲＡＭ）も含みうる。プロセッサ３０４は通常、メモリ３０６内に格納されたプログラム命令群に基づいて、論理演算および算術演算を実行しうる。メモリ３０６内の命令群は、本明細書において説明される方法を実施するように実行可能でありうる。
【００３１】
無線デバイス３０２は、無線デバイス３０２とリモート位置との間でのデータの送信および受信を可能にするために、送信機３１０および受信機３１２を含みうるハウジング３０８も含みうる。送信機３１０および受信機３１２はトランシーバ３１４に組み合わされうる。複数の送信アンテナ３１６は、ハウジング３０８に取り付けられ、電子的にトランシーバ３１４に結合されうる。この無線デバイス３０２は更に、複数の送信機、複数の受信機、および複数のトランシーバを含みうる（図示せず）。
【００３２】
無線デバイス３０２は、トランシーバ３１４によって受信された信号のレベルを検出および数値化するために使用されうる信号検出器３１８も含みうる。信号検出器３１８は、例えば、総エネルギー、シンボル毎の副搬送波毎のエネルギー、電力スペクトル密度、およびその他の信号、といったような信号を検出しうる。無線デバイス３０２は、信号を処理する際に使用するためのデジタル信号プロセッサ（ＤＳＰ）３２０も含みうる。
【００３３】
無線デバイス３０２の様々な構成要素が、バス・システム３２２によって一緒に結合されうる。これは、データ・バスに加えて、電力バス、制御信号バス、状態信号バスを含みうる。
【００３４】
本明細書で使用される場合に、「レガシ（legacy）」は一般に、８０２．１１規格の８０２．１１ｎあるいはそれ以前のバージョンをサポートする無線ネットワーク・ノードを称する。
【００３５】
特定の技術がＳＤＭＡの参照を用いて本明細書に説明される一方で、これらの技術が一般に、ＳＤＭＡ、ＯＦＤＭＡ、ＣＤＭＡ、およびそれらの組み合わせのような、任意の種類の多元接続スキームを利用するシステムに適用されうるということを当業者は認識するだろう。
【００３６】
ＡＰ−レガシ局間のＳＤＭＡプロトコル
特定の態様によると、多重入力多重出力（ＭＩＭＯ）技術を利用するシステムにおいて、空間分割多元接続（ＳＤＭＡ）技術は、空間多重化および／あるいはダイバーシティを経て、より高いキャパシティ・リンクの隣の並行空間リンクを利用して、優れた性能を提供できる。ＭＩＭＯ−ＳＤＭＡシステムにおいて、アクセス・ポイントおよび少なくともいくつかの局は複数のアンテナを含みうる。しかし、このようなシステムは単一のアンテナ・デバイス（例えば、レガシ・デバイス）も含みうる。
【００３７】
本開示の特定の態様は、ＳＤＭＡ  ＡＰを単一のアンテナ局と通信できるようにするプロトコルを提供する。特定の態様によると、ＡＰは、電気電子技術者協会（ＩＥＥＥ）８０２．１１ａ／ｎファミリ規格を利用するデバイスのようなレガシ・デバイスにＳＤＭＡ信号を送信しうる。本明細書において示された技術は、システムのキャパシティを増加させることと、既存のレガシ・デバイスに対する変更なしにより優れた性能を達成することとを助けうる。
【００３８】
特定の態様によると、ＳＤＭＡ使用可能なＡＰは、複数のレガシ局にＳＤＭＡ信号を送信しうる。レガシ局は単一のアンテナを有しうるため、これらのレガシ局は実際の（actual）指向性ＳＤＭＡ伝送を行って信号をアクノレッジすることができない。従って、これらの局からＡＰに送られたアクノレッジメントは、互いに干渉し、いくつかの場合において、ＡＰはそれらのアクノレッジメントを適切に復号することができない。しかし、ＡＰは、信号が（例えば、規格において規定された予め定義されたフォーマット毎に）アクノレッジメント・メッセージとして適切に復号されたどうかにかかわらず、これらの信号をアクノレッジメントとして識別しうる。
【００３９】
図４は、本開示の特定の態様に従って、アクセス・ポイント（ＡＰ）およびレガシ局間のＳＤＭＡ通信プロトコルのための動作の実例４００を例示する。この動作の実例は、例えば、ＳＤＭＡ伝送が可能なＡＰによって実行されうる。特定の態様によると、ＡＰは、ＳＤＭＡ使用可能なマルチアンテナ局と非ＳＤＭＡ単一アンテナ「レガシ」局とを含む複数の局と通信しうる。
【００４０】
４０２において、ＡＰは、複数の局にデータ・パケットを送信する。特定の態様によると、データ・パケットは、ＳＤＭＡを使用して送信されうる。特定の態様によると、複数の局は、非ＳＤＭＡ局のみならずＳＤＭＡ局をも含みうる。
【００４１】
４０４において、ＡＰは、データ・パケットに応じて、少なくとも１つの局から信号を受信する。特定の態様によると、ＳＤＭＡ局は、ＡＰが復号するべき情報を含むアクノレッジメント・メッセージを送信するように構成されうる。例えば、ＳＤＭＡ局は、どのデータ・パケットが正しく受信されたかを（例えば、ビット・マップによって）示すアクノレッジメント（例えば、ブロック・アクノレッジメント、すなわちＢＡ）を送りうる。しかし、非ＳＤＭＡ局は、有用な情報を含まないシンプルなアクノレッジメントだけを送りうる。従って、ＡＰは、このようなアクノレッジメントを実際に（actually)うまく復号することは不必要でありうる。
【００４２】
４０６において、ＡＰは、信号がアクノレッジメントとして正しく復号されたかどうにかかわらず、これらの信号をデータ・パケットの受取のアクノレッジメントとして識別する。例えば、応答信号の単なる検出は、対応するデータ・パケットを受信した局を示し、ＡＰは、任意の応答信号をアクノレッジメントとして識別しうる。従って、このような局からの応答が、ＡＣＫメッセージの適切な復号を妨げうる干渉を引き起こす場合でも、ＡＰは、ＳＤＭＡ技術を使用してレガシ局と通信することができる。
【００４３】
特定の態様に従って、本明細書に示された技術を使用して通信を改良することを目的として、「レガシ」ＳＤＭＡ受信者（recipient）が特定の条件を満たしていることを確実にする努力がなされうる。例えば、類似の領域および電力要件を有する複数のＳＤＭＡ受信者が選択されうる。更に、ＳＴＡの各々がいかなるディバーシティも有さず、単一のアンテナのみを有しているように、複数のＳＤＭＡ受信者が選択されうる。更に、複数の対応するデータ・パケットが、ＳＤＭＡを使用して、より効率的に一緒に送信されうるように、同様のパケット長を有する複数のＳＴＡが選択されうる。
【００４４】
図５Ａは、本開示の特定の態様に従って、本明細書に示された技術を使用したメッセージ交換の実例を示す。限定的ではない実例として、図５は、アクセス・ポイントによって、（例えば、ＩＥＥＥ８０２．１１ａ規格を利用する）複数のレガシ局ＳＴＡ１乃至ＳＴＡ４に送信された４つの空間ストリームを例示する。
【００４５】
例示されたように、複数の空間ストリームは、アクセス・ポイントの物理層５０２から同時に送信されうる。ストリームの各々は、ＳＩＧフィールド５０４と、宛先局の各々のための媒体アクセス制御（ＭＡＣ）パケット・データ・ユニット（ＭＰＤＵ）あるいは集合（aggregated）ＭＰＤＵ（ＡＭＰＤＵ）５０６とを含みうる。それに応じて、ＳＩＦＳ持続期間５１２の後、局はアクノレッジメント５０８メッセージをＡＰに送って、ＡＰからのメッセージの受取をアクノレッジしうる。上記の通信は、送信機会（ＴｘＯＰ）５１０中に生じる。
【００４６】
図５Ａに例示されたように、特定の態様によると、全ての宛先局に送信されたパケットの持続期間は同じでありうる。しかし、図５Ｂに例示されたように、その他の態様によると、パケットの各々の持続期間は異なりうる。一般に、これらのパケットを、全ての宛先局において同時に終了(end)させることが目的でありうる。この目的を達成するために、パケットの持続期間は同じではないことから、より短い持続期間を有するパケットの伝送は、最も長い持続期間を有するパケットの伝送が開始された後のいくらかの（「差分（delta）」）時間において開始されうる。
【００４７】
図５Ｂに図示された実例において、ＳＴＡ２、ＳＴＡ３への（より短い）パケットの伝送は、全ＴｘＰＯ持続時間５１０を必要とするＳＴＡ１、ＳＴＡ４へのパケットの伝送に関連して、ΔＴ１  ５１２、ΔＴ２  ５１４によってそれぞれ遅延される。特定の態様によると、複数のパケット伝送が、受信する局の各々において同時に終了することを確実にするために、ＡＰ（あるいはその他何らかのスケジューリング装置）は、差分を計算し、異なる持続期間を有するパケットの、複数の局に対する伝送開始時間をスケジューリングするように構成されうる。
【００４８】
本開示の特定の態様によると、アクセス・ポイント（ＡＰ）は、任意のパケット（例えば、管理、制御、動作、あるいはデータ)を受信することによって、単一アンテナＳＴＡの各々に対するチャネル状態情報（ＣＳＩ）を推定しうる。このＡＰは、事前符号化行列を計算して、下りリンクＳＤＭＡ伝送を実行するために、この情報を使用しうる。
【００４９】
上記で説明されたように、局は最短フレーム送信間隔（ＳＩＦＳ）に等しい時間が下りリンク伝送から経過した後にＡＰから下りリンク情報を受信したのと同じストリームによってアクノレッジ・メッセージを送りうる。ＳＤＭＡ受信者の各々からの同時アクノレッジメント（ＡＣＫ）メッセージは、それらに対応する空間ストリームで検出されうる。
【００５０】
本開示の特定の態様は、特に、固定されたパケット長を用いたＴＣＰおよびＶｏＩＰストリームを使用するシステムについて、システムの性能を向上させうる。ＶｏＩＰは、システムが一般的に複数のクライアントに等しい長さのパケットを送るような、適切なアプリケーションを表す。更に、トランスポート・コネクション・プロトコル（ＴＣＰ）パケットのサイズは、システム最大転送可能ユニット（ＭＴＵ）で、１５００バイトに制限される。これは更に、本明細書において提供される技術を使用して性能を向上させるのを助けうる。
【００５１】
このように、局は、例えば、モバイル・ハンドセット、ポータブルあるいはラップトップ・コンピュータなどのような、ＶｏＩＰおよび／あるいはＴＣＰストリームをサポートできる任意の種類の無線デバイスを含みうる。
【００５２】
上記に説明された方法の様々な動作は、対応する機能を実行できる任意の適切な手段によって実行されうる。この手段は、回路、特定用途向け集積回路（ＡＳＩＣ）、あるいはプロセッサを含むが、それらに限定はされない様々なハードウェアおよび／あるいはソフトウェア構成要素および／あるいはモジュールを含みうる。一般的に、図に例示された動作が存在する場合、これらの動作は、同様のナンバリングを有する対応するカウンターパートのmeans-plus-function構成要素を有しうる。例えば、図４に例示されたブロック４０２乃至４０６は、図４Ａに例示された回路ブロック４０２Ａ乃至４０６Ａに対応する。
【００５３】
本明細書において使用される場合に、用語「判定する」は、多種多様な動作を包含する。例えば、「判定する」というのは、計算すること、コンピュータで計算すること、処理すること、導出すること、詳細に調べること、（例えば、表、データベース、あるいは別のデータ・ストラクチャを調べることのように）調べること、解明すること等を含みうる。更に、「判定する」というのは、（例えば、情報を受信することのように）受信すること、（例えば、メモリ内のデータにアクセスすることのように）アクセスすること等を含みうる。更に、「判定する」というのは、決定すること、選択すること、選定すること、確立すること等を含みうる。
【００５４】
上記に説明された方法の様々な動作は、様々なハードウェアおよび／あるいはソフトウェア構成要素、回路および／あるいはモジュールのような、動作を実行することができる任意の適切な手段によって実行されうる。一般に、図に例示される任意の動作は、動作を実行できる対応する機能的手段によって実行されうる。
【００５５】
本開示に関連付けて説明された多様な実例的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいは他のプログラマブル・ロジック・デバイス（ＰＬＤ）、離散ゲートもしくはトランジスタ・ロジック、離散ハードウェア構成要素、あるいは本明細書で説明された機能を実行するために設計されたそれらの任意の組み合わせによって実施あるいは実行されうる。汎用プロセッサはマイクロプロセッサでありうるが、別の方法としては、プロセッサは商業的に利用可能な任意のプロセッサ、コントローラ、マイクロコントローラ、あるいはステート・マシンでありうる。プロセッサは、例えば、ＤＳＰおよびマイクロプロセッサの組み合わせ、複数のマイクロ・プロセッサ、ＤＳＰコアと連携した１つあるいは複数のマイクロプロセッサ、あるいはその他の任意の構成のようなコンピューティング・デバイスの組み合わせとしても実現されうる。
【００５６】
本開示に関連付けて説明されたアルゴリズムあるいは方法のステップは、直接的にハードウェアにおいて、プロセッサによって実行されるソフトウェア・モジュールにおいて、あるいはこの２つの組み合わせにおいて実現されうる。ソフトウェア・モジュールは、当該技術分野において周知の任意の形態の記憶媒体に存在しうる。使用されうる記憶媒体のいくつかの実例は、ランダム・アクセス・メモリ（ＲＡＭ）、読取専用メモリ（ＲＯＭ）、フラッシュ・メモリ、ＥＰＲＯＭメモリ、ＥＥＰＲＯＭメモリ、レジスタ、ハード・ディスク、リムーバブル・ディスク、ＣＤ−ＲＯＭ等を含む。ソフトウェア・モジュールは、単一の命令あるいは命令群を備えうる、そして、異なるプログラムの間に、かつ複数の記憶媒体にわたって、いくつかの異なるコード・セグメントに分散されうる。記憶媒体は、記憶媒体からの情報を読み取り、記憶媒体に情報を書き込むことができるプロセッサのようなプロセッサと結合される。あるいは、記憶媒体はプロセッサに統合されうる。
【００５７】
本明細書において開示された方法は、説明された方法を達成するための１あるいは複数のステップあるいは動作を備える。この方法のステップ及び／あるいは動作は、特許請求の範囲から逸脱することなく、それぞれ置換可能でありうる。言い換えると、ステップあるいは動作の特定の順序が特に明記されない限りは、特定のステップ及び／あるいは動作の順序及び／あるいは使用法は、特許請求の範囲から逸脱することなく変更されうる。
【００５８】
前述された機能は、ハードウェア、ソフトウェア、ファームウェア、あるいはそれら任意の組合せにおいて実現されうる。ソフトウェアにおいて実現される場合、この機能は、１あるいは複数の命令群として、コンピュータ読取可能媒体に格納されうる。記憶媒体は、コンピュータによってアクセスされうる任意の利用可能な媒体でありうる。限定ではなく、例として、このようなコンピュータ読取可能媒体は、ＲＡＭ、ＲＯＭ、ＥＥＰＲＯＭ、ＣＤ−ＲＯＭかその他の光学ディスク・ストレージ、磁気ディスク・ストレージかその他の磁気記憶デバイス、あるいは、命令群もしくはデータ構造へ望まれたプログラム・コードを伝える、もしくは格納するために使用され、コンピュータによってアクセスされうる、その他任意の媒体を備えうる。本明細書で使用されるようなディスク（ｄｉｓｋ）及びディスク（ｄｉｓｃ）は、コンパクト・ディスク（ＣＤ）、レーザー・ディスク、光学ディスク、デジタル・バーサタイル・ディスク（ＤＶＤ）、フロッピー（登録商標）・ディスク及びブルーレイ（登録商標）・ディスクを含む。ここで、ディスク（ｄｉｓｋ）は通常データを磁気的に再生する一方、ディスク（ｄｉｓｃ）はレーザーを用いてデータを光学的に再生する。
【００５９】
このように、特定の態様は、本明細書に示された動作を実行するためのコンピュータ・プログラム製品を備えうる。例えば、このようなコンピュータ・プログラム製品は、その上に格納された（および／あるいは符号化された）命令群を有するコンピュータ読取可能媒体を備えうる。この命令群は、本明細書に説明された動作を実行するように、１又は複数のプロセッサによって実行可能である。特定の態様において、コンピュータ・プログラム製品は、パッケージ・マテリアルを含みうる。
【００６０】
ソフトウェアあるいは命令群は、送信媒体によっても送信されうる。例えば、同軸ケーブルや、光ファイバー・ケーブルや、ツイスト・ペアや、デジタル加入者回線（ＤＳＬ）や、あるいは、赤外線、無線、及びマイクロ波のような無線技術を使用して、ウェブサイト、サーバ、あるいはその他の遠隔ソースからソフトウェアが送信される場合、同軸ケーブルや、光ファイバー・ケーブルや、ツイスト・ペアや、ＤＳＬや、あるいは赤外線、無線、及びマイクロ波のような無線技術は、送信媒体の定義に含まれる。
【００６１】
更に、モジュールおよび／あるいは本明細書において説明される方法および技術を実行するためのその他適切な手段は、規定どおりにユーザ端末および／あるいは基地局によってダウンロードされるか、および／あるいは、そうでない場合は取得されうる。例えば、このようなデバイスは、本明細書で説明された方法を実行するための手段の転送を容易にするために、サーバに結合されうる。代替的に、ユーザ端末および／あるいは基地局が記憶手段をデバイスに結合させる際、あるいは記憶手段をデバイスに提供する際の様々な方法を得ることができるように、本明細書で説明された様々な方法は、記憶手段（例えば、ＲＡＭ、ＲＯＭ、コンパクト・ディスク（ＣＤ）あるいはフロッピー（登録商標）・ディスク等のような物理記憶媒体）によって提供されうる。更に、本明細書で説明された方法および技術をデバイスに提供するためのその他任意の適切な技術が利用されうる。
【００６２】
特許請求の範囲が、上記で例示された正確な構成および構成要素に限定されないということが理解されるべきである。様々な変形例、変更、およびバリエーションが、特許請求の範囲のスコープから逸脱することなく、配置、動作、および上記で説明された方法および装置の細部においてなされうる。
【図１】
2012522422.tif 000003
【図２】
2012522422.tif 000004
【図３】
2012522422.tif 000005
【図４】
2012522422.tif 000006
【図４Ａ】
2012522422.tif 000007
【図５Ａ】
2012522422.tif 000008
【図５Ｂ】
2012522422.tif 000009
【手続補正書】
【提出日】平成23年10月26日(2011.10.26)
【手続補正１】
【補正対象書類名】特許請求の範囲
【補正対象項目名】全文
【補正方法】変更
【補正の内容】
【特許請求の範囲】
【請求項１】
類似の領域および電力要件を有する複数の無線装置を選択することと、
送信機会中に前記複数の無線装置にデータ・パケットを送信することと、
前記データ・パケットに応じて、前記送信機会中に前記複数の無線装置のうちの少なくとも１つから信号を受信することと、
前記信号が正しく復号されたかどうかにかかわらず、前記信号を１又は複数の前記データ・パケットの受取のアクノレッジメントとして識別することと
を備える無線通信のための方法。
【請求項２】
前記データ・パケットのうちの少なくとも２つは、異なる開始時間で送信され、
前記異なる開始時間は、前記データ・パケットの各々の伝送が実質的に同じ時間に終了するように計算される請求項１に記載の方法。
【請求項３】
前記伝送は、異なる無線装置に対する伝送のために少なくとも２つの異なるデータ・レートを選択すること
を備える請求項１に記載の方法。
【請求項４】
前記異なるデータ・レートは、前記異なる無線装置に対するデータ・パケットの送信時間を均等化するように選択される請求項３に記載の方法。
【請求項５】
前記複数の無線装置は、単一アンテナを有する少なくとも１つの無線装置を備える請求項１に記載の方法。
【請求項６】
複数のアンテナを有し、空間分割多元接続（ＳＤＭＡ）通信が可能な少なくとも１つの無線装置を、前記複数の無線装置は備える請求項１に記載の方法。
【請求項７】
前記信号は、前記ＳＤＭＡ通信が可能な少なくとも１つの無線装置から送信されたアクノレッジメント信号を備える請求項６に記載の方法。
【請求項８】
無線通信システムにおいて複数の無線装置にデータを同時送信するための装置であって、
類似の領域および電力要件を有する複数の無線装置を選択するように構成されたプロセッサと、
送信機会中に前記複数の無線装置にデータ・パケットを送信するように構成された送信機と、
前記データ・パケットに応じて、前記送信機会中に前記複数の無線装置のうちの少なくとも１つから信号を受信し、前記信号が正しく復号されたかどうかにかかわらず、前記信号を１又は複数の前記データ・パケットの受取のアクノレッジメントとして識別するように構成された受信機と、
を備える装置。
【請求項９】
前記送信機は、前記データ・パケットのうちの少なくとも２つを異なる開始時間に送信し、
前記データ・パケットの各々の伝送が実質的に同じ時間に終了するように前記異なる開始時間を計算する
ように構成される請求項８に記載の装置。
【請求項１０】
前記送信機は、異なる無線装置に対する伝送のために少なくとも２つの異なるデータ・レートを選択するように構成された請求項８に記載の装置。
【請求項１１】
前記送信機は、前記異なる無線装置に対するデータ・パケットの送信時間を均等化ために異なるデータ・レートを選択するように構成される請求項１０に記載の装置。
【請求項１２】
前記複数の無線装置は、単一アンテナを有する少なくとも１つの無線装置を備える請求項８に記載の装置。
【請求項１３】
複数のアンテナを有し、空間分割多元接続（ＳＤＭＡ）通信が可能な少なくとも１つの無線装置を、前記複数の無線装置は備える請求項８に記載の装置。
【請求項１４】
前記信号は、前記ＳＤＭＡ通信が可能な少なくとも１つの無線装置から送信されたアクノレッジメント信号を備える請求項１３に記載の装置。
【請求項１５】
無線通信システムにおいて複数の無線装置にデータを同時送信するための装置であって、
類似の領域および電力要件を有する複数の無線装置を選択する手段と、
送信機会中に前記複数の無線装置にデータ・パケットを送信する手段と、
前記データ・パケットに応じて、前記送信機会中に前記複数の無線装置のうちの少なくとも１つから信号を受信するように構成された受信する手段と、
前記信号が正しく復号されたかどうかにかかわらず、前記信号を１又は複数の前記データ・パケットの受取のアクノレッジメントとして識別する手段と
を備える装置。
【請求項１６】
前記送信する手段は、前記データ・パケットのうちの少なくとも２つを異なる開始時間に送信し、
前記データ・パケットの各々の伝送が実質的に同じ時間に終了する
ように前記異なる開始時間を計算するように構成される請求項１５に記載の装置。
【請求項１７】
前記送信する手段は、異なる無線装置に対する伝送のために少なくとも２つの異なるデータ・レートを選択するように構成されている
請求項１５に記載の装置。
【請求項１８】
前記送信する手段は、前記異なる無線装置に対するデータ・パケットの送信時間を均等化するために異なるデータ・レートを選択するように構成される請求項１７に記載の装置。
【請求項１９】
前記複数の無線装置は、単一アンテナを有する少なくとも１つの無線装置を備える請求項１７に記載の装置。
【請求項２０】
複数のアンテナを有し、ＳＤＭＡ伝送が可能な少なくとも１つの無線装置を、前記複数の無線装置は備える請求項１７に記載の装置。
【請求項２１】
前記信号は、前記ＳＤＭＡ通信が可能な少なくとも１つの無線装置から送信されたアクノレッジメント信号を備える請求項２０に記載の装置。
【請求項２２】
命令群を格納するコンピュータ読取可能媒体を備える、通信のためのコンピュータ・プログラム製品であって、前記命令群はコンピュータ上で実行されると前記コンピュータに、
類似の領域および電力要件を有する複数の無線装置を選択させ、
送信機会中に前記複数の無線装置にデータ・パケットを送信させ、
前記データ・パケットに応じて、前記送信機海中に前記複数の無線装置のうちの少なくとも１つから信号を受信させ、
前記信号が正しく復号されたかどうかにかかわらず、前記信号を１又は複数の前記データ・パケットの受取のアクノレッジメントとして識別させるコンピュータ・プログラム製品。
【請求項２３】
複数のアンテナと、
類似の領域および電力要件を有する複数の無線装置を選択するように構成されたプロセッサと、
送信機会中に前記複数の無線装置にデータ・パケットを送信するように構成された送信機と、
前記データ・パケットに応じて、前記送信機会中に前記複数のアンテナのうちの少なくとも２つによって、前記複数の無線装置のうちの少なくとも１つから信号を受信し、前記信号が正しく復号されたかどうかにかかわらず、前記信号を１又は複数の前記データ・パケットの受取のアクノレッジメントとして識別するように構成された受信機と
を備えるアクセス・ポイント。
【手続補正２】
【補正対象書類名】明細書
【補正対象項目名】００６２
【補正方法】変更
【補正の内容】
【００６２】
特許請求の範囲が、上記で例示された正確な構成および構成要素に限定されないということが理解されるべきである。様々な変形例、変更、およびバリエーションが、特許請求の範囲のスコープから逸脱することなく、配置、動作、および上記で説明された方法および装置の細部においてなされうる。
［付記１］
複数の無線装置にデータ・パケットを送信することと、
前記データ・パケットに応じて、前記複数の無線装置のうちの少なくとも１つから信号を受信することと、
前記信号が正しく復号されたかどうかにかかわらず、前記信号を１又は複数の前記データ・パケットの受取のアクノレッジメントとして識別することと
を備える無線通信のための方法。
［付記２］
前記データ・パケットのうちの少なくとも２つは、異なる開始時間で送信され、
前記異なる開始時間は、前記データ・パケットの各々の伝送が実質的に同じ時間に終了するように計算される付記１に記載の方法。
［付記３］
前記伝送は、異なる無線装置に対する伝送のために少なくとも２つの異なるデータ・レートを選択すること
を備える付記１に記載の方法。
［付記４］
前記異なるデータ・レートは、前記異なる無線装置に対するデータ・パケットの送信時間を均等化するように選択される付記３に記載の方法。
［付記５］
前記複数の無線装置は、単一アンテナを有する少なくとも１つの無線装置を備える付記１に記載の方法。
［付記６］
複数のアンテナを有し、空間分割多元接続（ＳＤＭＡ）通信が可能な少なくとも１つの無線装置を、前記複数の無線装置は備える付記１に記載の方法。
［付記７］
前記信号は、前記ＳＤＭＡ通信が可能な少なくとも１つの無線装置から送信されたアクノレッジメント信号を備える付記６に記載の方法。
［付記８］
無線通信システムにおいて複数の無線装置にデータを同時送信するための装置であって、
複数の無線装置にデータ・パケットを送信するように構成された送信機と、
前記データ・パケットに応じて、前記複数の無線装置のうちの少なくとも１つから信号を受信し、前記信号が正しく復号されたかどうかにかかわらず、前記信号を１又は複数の前記データ・パケットの受取のアクノレッジメントとして識別するように構成された受信機と、
を備える装置。
［付記９］
前記送信機は、前記データ・パケットのうちの少なくとも２つを異なる開始時間に送信するように構成され、
前記異なる開始時間は、前記データ・パケットの各々の伝送が実質的に同じ時間に終了するように計算される付記８に記載の装置。
［付記１０］
前記送信機は、異なる無線装置に対する伝送のために少なくとも２つの異なるデータ・レートを選択するように構成された付記８に記載の装置。
［付記１１］
前記異なるデータ・レートは、前記異なる無線装置に対するデータ・パケットの送信時間を均等化するように選択される付記１０に記載の装置。
［付記１２］
前記複数の無線装置は、単一アンテナを有する少なくとも１つの無線装置を備える付記８に記載の装置。
［付記１３］
複数のアンテナを有し、空間分割多元接続（ＳＤＭＡ）通信が可能な少なくとも１つの無線装置を、前記複数の無線装置は備える付記８に記載の装置。
［付記１４］
前記信号は、前記ＳＤＭＡ通信が可能な少なくとも１つの無線装置から送信されたアクノレッジメント信号を備える付記１３に記載の装置。
［付記１５］
無線通信システムにおいて複数の無線装置にデータを同時送信するための装置であって、
複数の無線装置にデータ・パケットを送信する手段と、
前記データ・パケットに応じて、前記複数の無線装置のうちの少なくとも１つから信号を受信するように構成された受信する手段と、
前記信号が正しく復号されたかどうかにかかわらず、前記信号を１又は複数の前記データ・パケットの受取のアクノレッジメントとして識別する手段と
を備える装置。
［付記１６］
前記送信する手段は、前記データ・パケットのうちの少なくとも２つを異なる開始時間に送信するように構成され、
前記異なる開始時間は、前記データ・パケットの各々の伝送が実質的に同じ時間に終了するように計算される付記１５に記載の装置。
［付記１７］
前記送信する手段は、異なる無線装置に対する伝送のために少なくとも２つの異なるデータ・レートを選択するように構成されている
付記１５に記載の装置。
［付記１８］
前記異なるデータ・レートは、前記異なる無線装置に対するデータ・パケットの送信時間を均等化するように選択される付記１７に記載の装置。
［付記１９］
前記複数の無線装置は、単一アンテナを有する少なくとも１つの無線装置を備える付記１７に記載の装置。
［付記２０］
複数のアンテナを有し、ＳＤＭＡ伝送が可能な少なくとも１つの無線装置を、前記複数の無線装置は備える付記１７に記載の装置。
［付記２１］
前記信号は、前記ＳＤＭＡ通信が可能な少なくとも１つの無線装置から送信されたアクノレッジメント信号を備える付記２０に記載の装置。
［付記２２］
命令群で符号化されたコンピュータ読取可能媒体を備える、通信のためのコンピュータ・プログラム製品であって、前記命令群は、
複数の無線装置にデータ・パケットを送信し、
前記データ・パケットに応じて、前記複数の無線装置のうちの少なくとも１つから信号を受信し、
前記信号が正しく復号されたかどうかにかかわらず、前記信号を１又は複数の前記データ・パケットの受取のアクノレッジメントとして識別するように実行可能であるコンピュータ・プログラム製品。
［付記２３］
複数のアンテナと、
複数の無線装置にデータ・パケットを送信するように構成された送信機と、
前記データ・パケットに応じて、前記複数のアンテナのうちの少なくとも２つによって、前記複数の無線装置のうちの少なくとも１つから信号を受信し、前記信号が正しく復号されたかどうかにかかわらず、前記信号を１又は複数の前記データ・パケットの受取のアクノレッジメントとして識別するように構成された受信機と
を備えるアクセス・ポイント。
【国際調査報告】
2012522422.tif 000010
2012522422.tif 000011
2012522422.tif 000012